【事件の表示】
　特願２００５−１１８６８１「再生装置、再生方法、再生プログラム及びデータ再生システム」拒絶査定不服審判事件〔平成１８年１１月　２日出願公開、特開２００６−３０２３４５〕について、次のとおり審決する。
【結　論】
　本件審判の請求は、成り立たない。
【理　由】
１．手続の経緯
　本願は、平成１７年４月１５日の出願であって、平成２０年１２月５日付け拒絶理由通知に対する応答時、平成２１年２月９日付けで手続補正がなされ、同年４月２２日付け拒絶理由通知に対する応答時、同年６月２９日付けで手続補正がなされたが、同年１２月１７日付けで拒絶査定がなされ、これに対して、平成２２年３月２３日付けで拒絶査定不服審判請求及び手続補正がなされたものである。
　なお、平成２３年２月１４日付けで審尋がなされたが、請求人からは回答がなされなかった。
　
２．本願発明
　本願の請求項１に係る発明（以下、「本願発明」という。）は、平成２２年３月２３日付け手続補正書により補正された特許請求の範囲の請求項１に記載された、次のとおりのものである。
「【請求項１】
　データとデータを通常再生するときの再生速度を示す速度情報とを対応付けて記憶する記憶部と、
　上記速度情報に基づいて、上記記憶部に記憶されているデータのなかから、ユーザ操作に応じて指定された任意の条件に合致するデータを検索する検索部と、
　上記検索部により検索されたデータの再生順を規定する再生リストを生成する再生リスト生成部と、
　ユーザ操作に応じて上記再生リストに含まれるデータを当該再生リストに規定された再生順に再生する再生部と、
　ユーザ操作又は外部機器から供給される情報に応じて上記再生リストに対して指定された再生速度の条件に合致するように、当該再生リストに含まれるデータの再生速度を設定し、設定した再生速度で当該データを上記再生部に再生させる制御部と
　を具える再生装置。」
　
３．引用列
（１）引用例１
　これに対して、原査定の拒絶の理由に引用された特開２００１−２９９９８０号公報（以下、「引用例１」という。）には、図面とともに以下の各記載がある（なお、下線は当審で付与した。）。
　ア．「【請求項１】  
使用者の運動動作に同期する運動テンポを検出する運動センサと
  
前記使用者の脈拍を検出して脈拍数を出力する脈拍センサと
  少なくとも運動の強度を含む使用条件を入力する使用条件入力手段と、　
  前記使用条件にもとづき、前記使用者の目標脈拍数の時間変化を作成する目標脈拍数時間関数発生手段と、　
　
予め記憶した少なくとも１つの音楽データと
  
前記目標脈拍数と前記使用者の現在の脈拍数とを比較し、その差にもとづく補正値を出力する脈拍比較手段と
　
前記運動テンポを前記補正値で補正したテンポを演算するテンポ補正量演算手段と
　
前記補正したテンポにもとづき、前記音楽データを補正する音楽データ補正手段と
　
前記補正された音楽データにより前記音楽を再生する再生手段とを備えたことを特徴とする運動支援装置
　
　イ．「【００２０】
【発明の実施の形態】理解を助けるため、以下の説明で用いる「テンポ」、「運動のテンポ」について、下記のように定義する。
「テンポ」　＝単位時間当たりの刺激の回数、慣習として速度とも言う
「運動のテンポ」＝運動動作の単位時間当たりの動作回数。
「音楽の本来のテンポ」＝その音楽のもともとのテンポ（補正を行う以前のテンポ）
【００２１】実施の形態１．この発明の実施の形態１による運動支援装置の構成を説明するブロック図を図１に、また、その使用状態を図２に、その動作を信号の流れとして説明するための機能回路図を図３に、また、図３の動作を説明するための特性図を図４に示す。 
図１に於いて、３０はこの運動支援装置の中央処理装置（以下ＣＰＵ）で以下に説明する全ての装置や手段が、バス４５を介して接続されている
  
　ウ．「【００２５】次に動作について、図３の動作説明用の機能回路図にもとづき説明する。
図３の４４ａ〜４４ｎはメモリ４４に収納されている複数の音楽データである
ａ）ここで始める運動の強度、例えば「ウォーキング」、「ジョギング」、「スカイウオーカ」その他の種類、速い、遅い、普通など運動の程度。
ｂ）この運動の継続予定時間、例えば１時間とか３時間など。
ｃ）使用する音楽の曲名、または、種類。　
ｄ）安静時の自分の脈拍数。
【００２６】目標脈拍数時間関数発生手段３６ａは、上記の入力項目をもとに、この使用者の目標脈拍数の運動開始時点から終了時点に至るまでの脈拍数の時間変化パターンを作成し、使用者が入力するスタート信号後の、経過時間に応じて変化する出力ＨＢｄ（ｔ）（図４ａ）を発生する。
図示しないスタートボタンをオンすると、まず、選択された音楽がその音楽の本来の再生テンポ（Ｔｘ）で再生される
【００２７】
運動センサ３１が使用者の運動テンポをパルス信号として検出し、これをもとに運動テンポ算出回路３１ａが運動のテンポＷｈ（ｔ）を算出する（図４ｃ）。 次に、脈拍センサ３２と脈拍数算出回路３２ａにより求められた脈拍数ＨＢ（ｔ）（図４ｄ）と、目標脈拍数ＨＢｄ（ｔ）との差  ＨＢｄ（ｔ）−ＨＢ（ｔ）＝ΔＨ（ｔ）…（１）　　　（図４ｅ）
が脈拍比較回路３６ｂにより演算される
【００２８】
次に、音楽のテンポ補正量演算手段３８ａにより、この脈拍数の差ΔＨ（ｔ）がゼロとなる方向に使用者の運動テンポを補正するに要する補正値が、音楽のもとのテンポＴｘにΔＨ（ｔ）と所定の定数（Ａ）とを乗じて算出され、この補正値が使用者の運動のテンポの所定倍数Ｄ・Ｗｈ（ｔ）に加算されて、補正された音楽のテンポＷｍ（ｔ）が算出される
　Ｗｍ（ｔ）＝Ｄ・Ｗｈ（ｔ）＋Ａ・ΔＨ（ｔ）・Ｔｘ　
　　　　　　＝Ｄ・Ｗｈ（ｔ）＋Ａ・〔ＨＢｄ（ｔ）−ＨＢ（ｔ）〕・Ｔｘ
　　　　　　　　　　　　　　　　　　　　　　　　　　　　…（２）
　ここで、　０．５≦Ｄ≦２　で、任意に設定可能である。例えば、Ｄが２であれば、運動の２倍のテンポの音楽となるが、音楽の種類によってはこの方が合わせやすいということもある（必ずしも運動テンポを２倍にするという意味ではない）。
こうして決定された出力テンポＷｍ（ｔ）により選択された音楽のデータ５２が音楽データの補正回路３８ｂにより補正され、補正されたテンポで音楽が再生される
　
　上記記載事項及び図面を総合勘案すると、引用例１には、次の発明（以下、「引用発明」という。）が記載されている。 
「予め複数の音楽データが収納されているメモリと、
　使用者の運動動作に同期する運動テンポを検出する運動センサと、　
  前記使用者の脈拍を検出して脈拍数を出力する脈拍センサと、　
  目標脈拍数と前記使用者の現在の脈拍数とを比較し、その差にもとづく補正値を出力する脈拍比較手段と、　
　前記運動テンポを前記補正値で補正したテンポを演算するテンポ補正量演算手段と、　
　前記補正したテンポにもとづき、前記音楽データの本来のテンポ（もともとのテンポ）を補正する音楽データ補正手段と、　
　スタートボタンをオンとすると、前記メモリに収納されている前記音楽データのなかから選択された音楽データであって、前記テンポ補正量演算手段及び前記音楽データ補正手段により補正された音楽データを再生する再生手段と、
　全ての装置や手段とバスを介して接続された中央処理装置（ＣＰＵ）と、
　を備えたことを特徴とする運動支援装置」 
　
（２）引用例２
　同じく原査定の拒絶の理由に引用された特開２００２−５５９９３号公報（以下、「引用例２」という。）には、図面とともに以下の各記載がある（なお、下線は当審で付与した。）。
　ア．「【００１３】
【発明の実施の形態】以下、本発明を適用した一実施形態の音楽再生装置について、図面を参照しながら説明する。図１は、本実施形態の音楽再生装置の構成を示す図である。同図に示す音楽再生装置は、音楽情報格納部１、再生リスト格納部２、制御部３、時計４、操作部５、表示部６、デジタル−アナログ（Ｄ／Ａ）変換部７、アンプ８、スピーカ９を含んで構成されている。
【００１４】
音楽情報格納部１は、複数の楽曲のそれぞれを再生するために必要な音楽情報を所定の分類情報に関連付けて格納する
【００１５】
図２は、本実施形態における楽曲データのデータ構造を示す図である。図２（Ａ）に示すように、本実施形態の楽曲データは、楽曲毎に、音楽情報をＭＰ３方式により圧縮して作成した「圧縮音楽情報」と、この楽曲に関する各種の分類情報を示す「ＩＤ３タグ情報」を含んで構成されている
　　　　　　・・・・・　（中　略）　・・・・・
【００１７】
これらのＩＤ３タグ情報のうちで、上記ａ〜ｄに示したタイトル、アーティスト、アルバム、イヤーのそれぞれが楽曲毎に予め設定された「固定分類情報」に対応しており、上記ｅおよびｆに示したコメント、ジャンルのそれぞれが利用者による操作に応じて内容が編集可能な「追加分類情報」に対応している
また、「コメント」については、利用者が任意に各種の情報を入力することができるようになっており、本実施形態では、例えば、楽曲の雰囲気を示す“アップテンポ”や“柔らか”等の文字列が入力されている
【００１８】図３は、音楽情報格納部１に格納される楽曲データについて概略的に説明する図である。同図に示すように、音楽情報格納部１は、楽曲毎に所定の通し番号１、２、……が付加された楽曲データを格納しており、通し番号を指定することによって対応する楽曲の楽曲データを読み出すことができる。例えば、通し番号として１番を指定することにより、タイトルが“Ａ”、アーティストが“Ｕ．Ｈ”、……、ジャンルが“ポップス”、コメントが“アップテンポ”である楽曲を読み出すことができる。」 
 　 
　イ．「【００２１】
制御部３は、音楽再生装置の全体動作を制御するものであり、再生リスト作成部３０、音楽検索部３２、音楽再生部３４を含んで構成されている。再生リスト作成部３０は、利用者から与えられる指示に応じて、複数の時間帯のそれぞれにおいて再生対象とする楽曲の種類を示す再生リスト情報（図４参照）を作成して再生リスト格納部２に格納する
  
　ウ．「【００２７】本実施形態の音楽再生装置はこのような構成を有しており、次にその動作を説明する。
図５は、所定の再生リスト情報に基づいて音楽再生を行う際の音楽再生装置の動作手順を示す図である。なお、上述した図４に示した再生リスト情報が予め作成されて再生リスト格納部２に格納されており、この再生リスト情報に基づいて音楽再生が行われるものとして説明を行う
【００２８】
利用者によって操作部５が操作されて所定の再生指示が入力されると（ステップ１００）、音楽検索部３２は、時計４から現在時刻を取得する（ステップ１０１）。次に、音楽検索部３２は、現在時刻に応じた時間帯に対応する再生リスト情報を再生リスト格納部２から読み出し（ステップ１０２）、読み出した再生リスト情報に指定された種類（ジャンルおよびコメント）に該当する楽曲を抽出して再生候補曲リスト情報を作成する（ステップ１０３）
【００２９】図６は、音楽検索部３２によって作成される再生候補曲リスト情報の具体例を示す図であり、一例として、上述したステップ１０１において取得した現在時刻が「８時〜１２時」の時間帯に属している場合の再生候補曲リスト情報が示されている。上述したように、８時〜１２時の時間帯においては「ジャンルが“ポップス”、コメントが“アップテンポ”である楽曲」、あるいは「ジャンルが“ダンス”、コメントが“柔らか”である楽曲」が指定されているので、これらの指定された種類に該当する楽曲を上述した図３に示した音楽情報の中から検索すると、図６に示すように、再生候補曲として、「タイトル“Ａ”、アーティスト“Ｕ．Ｈ”」の楽曲、「タイトル“Ｄ”、アーティスト“Ｈ．Ａ”」の楽曲、「タイトル“Ｅ”、アーティスト“Ｈ．Ａ”」の楽曲、……、という各楽曲が抽出される。
【００３０】
再生候補曲リスト情報が作成されると、音楽再生部３４は、必要な楽曲データを音楽情報格納部１から読み出し、再生候補曲リスト情報にしたがって楽曲を順次再生する（ステップ１０４）。なお、音楽再生部３４による楽曲の再生は、例えば、再生候補曲リスト情報の先頭から順に行われるものとする
 　 
　エ．「【００３７】また、
上述した実施形態では、音楽情報に関連付ける追加分類情報としての「コメント」に対して、楽曲の雰囲気を表す文字列を格納していたが、コメントとして格納する情報はこれに限定されるものではなく、楽曲の雰囲気以外の情報、例えば、曲のテンポやアーティストの国籍など種々の情報を格納することができる
　
　オ．「【００４０】また、
上述した再生リスト情報では、各時間帯において、ジャンルおよびコメントはそれぞれ２種類ずつ指定されていたが、これに限定されるものではなく、少なくは、ジャンルまたはコメントのいずれかについて１種類が指定されていればよく
　
　特に追加分類情報としての「コメント」として曲のテンポを指定した場合（上記「エ．」「オ．」を参照）に着目し、上記記載事項及び図面を総合勘案すると、引用例２には「音楽再生装置」において、次の技術事項（以下、「引用例２に記載の技術事項」という。）が記載されている。
「圧縮音楽情報と、該音楽情報に関する追加分類情報である曲のテンポとを関連付けた楽曲データを格納する音楽情報格納部と、
　利用者から与えられる指示に応じて、再生対象とする楽曲の種類として曲のテンポを示す再生リスト情報を作成し、該再生リスト情報に指定された曲のテンポに該当する楽曲を上記音楽情報格納部に格納されている楽曲データから検索して抽出し、再生候補曲リスト情報を作成する音楽検索部と、
　上記再生候補曲リスト情報にしたがって先頭から楽曲を順次再生する音楽再生部と」を設けたこと。
　
４．対比
　そこで、本願発明と引用発明とを対比すると、
（１）引用発明における「音楽データ」、「メモリ」は、本願発明における「データ」、「記憶部」に相当し、
　引用発明における「予め複数の音楽データが収納されているメモリと」によれば、本願発明と引用発明とは「データを記憶する記憶部と」を具える点で共通する。
　
（２）引用発明における「再生手段」は、本願発明における「再生部」に相当し、
　引用発明における「スタートボタンをオンとすると、前記メモリに収納されている前記音楽データのなかから選択された音楽データであって、前記テンポ補正量演算手段及び前記音楽データ補正手段により補正された音楽データを再生する再生手段と」によれば、「スタートボタンをオンとする」ことは、ユーザ操作に他ならないから、本願発明と引用発明とは「ユーザ操作に応じて上記データを再生する再生部と」を具える点で共通する。
　
（３）引用発明における「運動センサ」及び「脈拍センサ」は、本願発明における「外部機器」に相当し、
　また、引用発明における「テンポ」、「中央処理装置（ＣＰＵ）」は、本願発明における「再生速度」、「制御部」に相当し、
　引用発明における「使用者の運動動作に同期する運動テンポを検出する運動センサと、前記使用者の脈拍を検出して脈拍数を出力する脈拍センサと、目標脈拍数と前記使用者の現在の脈拍数とを比較し、その差にもとづく補正値を出力する脈拍比較手段と、前記運動テンポを前記補正値で補正したテンポを演算するテンポ補正量演算手段と、前記補正したテンポにもとづき、前記音楽データの本来のテンポ（もともとのテンポ）を補正する音楽データ補正手段と、スタートボタンをオンとすると、前記メモリに収納されている前記音楽データのなかから選択された音楽データであって、前記テンポ補正量演算手段及び前記音楽データ補正手段により補正された音楽データを再生する再生手段と、全ての装置や手段とバスを介して接続された中央処理装置（ＣＰＵ）と」によれば、運動センサや脈拍センサから供給される情報に基づいて、テンポ補正量演算手段及び音楽データ補正手段によって所定の演算条件にしたがって補正されたテンポを設定するものであることからして、結局、本願発明と引用発明とは「外部機器から供給される情報に応じて指定された再生速度の条件に合致するように、上記データの再生速度を設定し、設定した再生速度で当該データを上記再生部に再生させる制御部と」を具える点で共通するといえる。
　
（４）そして、引用発明における「運動支援装置」は、「音楽データを再生する再生手段」を具えるものであり、音楽データを再生する装置とみることができるから、本願発明における「再生装置」に相当する。
　
　よって、本願発明と引用発明とは、
「データを記憶する記憶部と、
　ユーザ操作に応じて上記データを再生する再生部と、
　外部機器から供給される情報に応じて指定された再生速度の条件に合致するように、上記データの再生速度を設定し、設定した再生速度で当該データを上記再生部に再生させる制御部と
　を具える再生装置。」
である点で一致し、次の点で相違する。
［相違点］
　本願発明では、記憶部にデータとともに「データを通常再生するときの再生速度を示す速度情報」とを対応付けて記憶し、「上記速度情報に基づいて、上記記憶部に記憶されているデータのなかから、ユーザ操作に応じて指定された任意の条件に合致するデータを検索する検索部と、上記検索部により検索されたデータの再生順を規定する再生リストを生成する再生リスト生成部と」を具え、再生部により「上記再生リストに含まれるデータを当該再生リストに規定された再生順に」設定した再生速度で再生するものであるのに対し、引用発明では、単にメモリに収納されている複数の音楽データのなかから選択された音楽データを補正したテンポで再生するものであり、本願発明のように「再生リスト」を生成していない点。
　
５．判断
　上記相違点について検討する。
　楽曲を再生する再生装置において、ユーザの所望する楽曲を抽出して再生対象の順序を示す再生リスト（プレイリスト）を作成しておくことは周知の技術事項であるところ、例えば引用例２（前記「３．（２）」参照）や特開２００３−１５６６６号公報（特に段落【００４０】参照）には利用者（ユーザ）が指定する曲のテンポすなわち曲本来の再生速度（本願発明でいう「通常再生するときの再生速度」）に基づいて楽曲を抽出して再生リストを作成することが記載されいる。特に引用例２には、圧縮音楽情報と曲のテンポとを関連付けて記憶しておくことや、利用者（ユーザ）から与えられる指示に応じて指定された条件である曲のテンポに該当する楽曲を検索する検索部及び検索された楽曲の再生順を規定する再生候補曲リスト情報を作成するリスト作成部（いずれも「音楽検索部」が該当）を具えることも記載されており、引用発明と引用例２に記載の技術事項とはともに、メモリに収納されている複数の音楽データのなかから再生する音楽データを選択して再生する装置に関するものである点において同一の技術分野に属するといえるから、引用発明においても、メモリに収納されている複数の音楽データのなかから音楽データを選択するにあたって、引用例２に記載の技術事項を適用し、ユーザが指定する曲のテンポに基づいて抽出された楽曲の再生順を示す再生リストを作成しておき、該再生リストに従って再生する音楽データを選択すること、すなわち音楽データと曲のテンポとを関連付けて記憶しておき、該曲のテンポに基づいて、記憶されている音楽データのなかからユーザ操作に応じて指定された条件に合致する音楽データを検索する検索部、及び検索された音楽データの再生順を規定する再生リストを作成する再生リスト作成部を設け、再生リストに含まれる音楽データを当該再生リストに規定された再生順に選択し、そして選択された音楽データを補正したテンポで再生するようにすることは当業者であれば容易になし得ることである。
　
　なお、請求人は審判請求書において、「本願発明では、例えば、まず通常再生時の
再生速度が所望の範囲内であるデータ
印象が似通ったデータを集めたうえで
　
　そして、本願発明が奏する効果についてみても、引用発明及び引用例２に記載の技術事項から当業者が十分に予測できたものであって、格別顕著なものがあるとはいえない。 
　
６．むすび
　以上のとおり、本願の請求項１に係る発明は、引用発明及び引用例２に記載の技術事項に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。